(57)【要約】    【課題】  玄関スペースが人、物で塞がれた場合でも収納物の出し入れを容易に行える収納装置を提供する。    【解決手段】内部を収納空間とするとともに、前面に収納物を出し入れする開口部を形成した箱状の収納本体と、前記収納空間に上下に複数枚が隔設されて、前記収納物を載置しうる棚板と、前記開口部を開閉しうる矩形板状の開き戸とを具えた収納装置であって、前記収納本体は、左右の少なくとも一方において前記収納空間が外部と連通する側開口部を有し、前記棚板は、前記側開口部を通り、収納空間の内外を水平に出入り可能に形成され、棚板の側縁部は垂直上方に折れ曲がり、側開口部を閉止しうる引出し板が一体に形成されたことを特徴とする。【選択図】  図１
2007006972.tif 000002
【特許請求の範囲】
【請求項１】
内部を収納空間とするとともに、前面に収納物を出し入れする開口部を形成した箱状の収納本体と、前記収納空間に上下に複数枚が隔設されて、前記収納物を載置しうる棚板と、前記開口部を開閉しうる矩形板状の開き戸とを具えた収納装置であって、
前記収納本体は、左右の少なくとも一方において前記収納空間が外部と連通する側開口部を有し、
前記棚板は、前記側開口部を通り、収納空間の内外を水平に出入り可能に形成され、棚板の側縁部は垂直上方に折れ曲がり、側開口部を閉止しうる引出し板が一体に形成されたことを特徴とする収納装置。
【請求項２】
前記側開口部は、収納本体の左、右に形成された左、右の側開口部を含み、
前記棚板は、分割された左、右の棚板からなり、この左、右の棚板は、各々前記左、右の側開口部を通り水平に出入り可能に形成されることを特徴とする請求項１記載の収納装置。
【請求項３】
前記引出し板は、色、模様、材質の中で、少なくとも一つを相違させることにより各棚板ごとに異なる外観を有することを特徴とする請求項１又は２記載の収納装置。
【請求項４】
前記棚板は、少なくとも２個以上が、引出し板を含めて同大、同形に形成され、上下位置を交換可能に構成されることを特徴とする請求項１〜３のいずれかに記載の収納装置。    
【請求項５】
前記棚板は、上下に並ぶ複数段が、少なくとも前記引出し板を連続させることにより連結して構成されることを特徴とする請求項１〜４のいずれかに記載の収納装置。
【発明の詳細な説明】
【技術分野】
【０００１】
本発明は、履物をはじめ、運動用具、自動車バイク用品、玩具その他の小物類を便利に収容しうる収納装置に関する。
【背景技術】
【０００２】
履物を収納する所謂下駄箱をはじめとして、各種小型の用品を収容する収納装置としては、図６に示すように、内部を収納空間とした箱状の収納本体ａの前面開口部に開き戸ｂを取り付けて開閉自在に構成してなるものが汎用されている。この種収納装置において、収納空間に収容された履物を出し入れする際には、開き戸ｂを手前に開いて作業する必要がある。従って、充分なスペースが設けられていない玄関において、特に多数の来客が訪問した時、或いは買い物帰り、旅行帰りなどでたくさんの大型荷物が玄関スペースを占有する場合などには、開き戸ｂを開ける空間が無かったり、例え開くことが出来ても履物を選択して出し入れする作業がやりづらいと言う問題があった。また玄関框ｊ側から履物を出し入れしたり、選択する場合は、玄関框ｊ側に取り付けられた開き戸ｂが収納空間前面の開口部を遮る方向に開くので、手が届きにくいとともに履物が収納空間内部が開き戸ｂの後ろに隠れて見えないため、出し入れがやり難いという問題があった。
【０００３】
一方図７に示すように、収納本体ａの側面に凹部を形成して頻繁に出し入れされるスリッパｄを収納するスリッパ収納部ｅを形成し、かつ鍵や印鑑等の小物類を玄関先に便利に収納しうる小物用引き出しｆを一体に形成した玄関収納構造が提案されている（例えば、特許文献１参照）。
【０００４】
前記玄関収納構造においては、スリッパ、及び小物類が収容できて、確かに利便性が向上するものの、収納空間に収容された履物を出し入れする際は、やはり開き戸ｂを開閉することが必要であり、来客、荷物などが玄関スペースを占有する場合は、開き戸ｂを開く空間が無かったり、履物を選択して出し入れする作業がやりづらく、また玄関框ｊ側からは、開き戸ｂに遮られて使い難いと言う問題が残る。
【０００５】
そこで、図８に示すように、玄関床面上を転動可能なキャスターｇを具えることにより前後にスライド自在に構成されるとともに履物を収納しうる棚板ｈを上下に複数設け、しかもその上面に腰掛けして履物を脱ぎ履きできる収納ワゴンｉを、前記の収納本体ａの一部に出し入れ可能に設けた腰掛付き下足箱が提案されている（例えば、特許文献２参照）。
【０００６】
【特許文献１】特開２００２−８５１７１号公報
【特許文献２】特開２００１−３２７３４０号公報
【発明の開示】
【発明が解決しようとする課題】
【０００７】
しかしながら、この腰掛付き下足箱においても、前記の如く玄関スペースに、沢山の人が入ったとき、或いは大きな荷物が玄関スペースを占有する場合などには、収納ワゴンｉ自体の前後へのスライド移動が阻止されて、履物の出し入れ作業、並びにその選択がやり辛いという問題は依然として解決されない。しかも収納ワゴンｉに収容できる履物は、全体の中の一部に過ぎず、収納本体ａ内部の棚に収容された履物の出し入れは、前面開口部の開き戸ｂを開いて行う必要があるため、前記の如く玄関スペースに多くの人、物が入った場合には、出し入れ作業がやり難いという課題を有している。
【０００８】
本発明は、左右の少なくとも一方において前記収納空間が外部と連通する側開口部を設け、棚板は、前記側開口部を通り、収納空間の内外を水平に出入り可能に形成することを基本とし、玄関スペースが人、物で塞がれた場合でも収納物の出し入れを容易に行える収納装置の提供を課題としている。
【課題を解決するための手段】
【０００９】
前記目的を達成するために、請求項１に係る発明は、内部を収納空間とするとともに、前面に収納物を出し入れする開口部を形成した箱状の収納本体と、前記収納空間に上下に複数枚が隔設されて、前記収納物を載置しうる棚板と、前記開口部を開閉しうる矩形板状の開き戸とを具えた収納装置であって、前記収納本体は、左右の少なくとも一方において前記収納空間が外部と連通する側開口部を有し、前記棚板は、前記側開口部を通り、収納空間の内外を水平に出入り可能に形成され、棚板の側縁部は垂直上方に折れ曲がり、側開口部を閉止しうる引出し板が一体に形成されたことを特徴とする。
【００１０】
請求項２に係る発明では、前記側開口部は、収納本体の左、右に形成された左、右の側開口部を含み、前記棚板は、分割された左、右の棚板からなり、この左、右の棚板は、各々前記左、右の側開口部を通り水平に出入り可能に形成され、また請求項３に係る発明においては、前記引出し板は、色、模様、材質の中で、少なくとも一つを相違させることにより各棚板ごとに異なる外観を有することを特徴とする。
【００１１】
請求項４に係る発明では、前記棚板は、少なくとも２個以上が、引出し板を含めて同大、同形に形成され、上下位置を交換可能に構成され、また請求項５に係る発明において、前記棚板は、上下に並ぶ複数段が、少なくとも前記引出し板を連続させることにより連結して構成されることを特徴とする。
【発明の効果】
【００１２】
請求項１に係る発明は、開き戸を開いて収納空間前面の開口部から、或いは側開口部から引き出した棚板から、収納物を出し入れできるため、使用者の位置など状況に応じ、適宜の方向から便利に使用できる。特に、玄関框から玄関土間にかけて壁際に設置された下駄箱において、框寄りの側開口部を通して棚板を引き出すことにより、玄関ホール側から履物を簡単に出し入れできる。さらに前面の開口部の前方に人、荷物などの障害物がある場合でも、側開口部から棚板を引き出すことによりスムースに収納作業を行える。
【００１３】
請求項２に係る発明では、左、右の側開口部から、各々分割された左、右の棚板を引き出して収納できるため、棚板を大きく引き出すことなく、能率的な収納が可能となり、また左、右の棚板に区分して収納するなど、各棚板毎の整理を行えるため、収納効率を向上しうる。また請求項３に係る発明のように構成すると、棚板毎の区別が明確となり、収納物の種類、使用者毎に使い分けるなど便利に使用できる。
【００１４】
請求項４に係る発明では、季節物を収納する場合、出し入れする頻度の多い収納物を収容した棚板を、取り扱いし易い高さ位置に変更するなどして、便利に使用でき、また請求項５に係る発明は、上下に連結された棚板は、スムースに出し入れ操作できるため、取扱い性を向上できるとともに重い収納物であっても安定して収容しうる。
【発明を実施するための最良の形態】
【００１５】
以下、本発明の実施の一形態を、図示例とともに説明する。本形態の収納装置１は、図１に示すように、住宅の玄関に設置された下駄箱の場合が例示される。しかし、収納装置１は、前記下駄箱のほか、居室、寝室などで使用される書棚、飾り棚、整理棚、或いは食器棚、陳列棚その他の用途に用いることもできる。しかして収納装置１は、内部を収納空間２とした箱状の収納本体４と、収納空間２内に配置される棚板５とを具える。
【００１６】
前記収納本体４は、前面に収納物を出し入れするための開口部３が形成されるとともに側部に前記収納空間２を外部と連通させる側開口部７が形成される。本形態では、前記開口部３は、収納本体４の前方略全面に亘り形成されて矩形状をなし、かつ側開口部７は、左右両側方に形成されるとともに側方略全面に亘り矩形状に形成されたものが例示される。なお側開口部７は、片方が壁面に向き合うなどの場合は、左右何れか一方の側部にのみ形成されることもある。
【００１７】
前記開口部３は、図１に示すように、両開き式の開き戸６が装着され、これにより開口部３は開閉自在に構成される。また開き戸６は片開き式のものを設けることもできる。
【００１８】
前記収納本体４は、本形態では、玄関の壁際に配置され、一方側部を上り框２１の上に載置されるとともに、他方側部は、前後に並ぶ一対の脚柱２２、２２を介して玄関土間２３に支持され、これにより水平に設置されている。収納本体４は、これ以外に壁と一体に形成される、所謂収納壁として構成することもできる。
【００１９】
本形態の収納本体４、及び開き戸６は、杉、松、樅、栂などの針葉樹、およびナラ、チーク、ラワンなどの広葉樹を含む無垢木材、又はナラ、サクラ、チーク、ケヤキなどを０．２〜０．６ｍｍ程度にスライスした突き板、或いはポリエチレン、ポリプロピレン、エチレン酢ビ樹脂（ＥＶＡ）などオレフィン系樹脂、メラミン樹脂、ポリエステル樹脂で成形した樹脂シートを、合板などの基板に貼着した化粧板を用いて構成される。或いは縦フレーム材、横フレーム材を矩形状に枠組みした外周枠の内側に補強桟を架け渡し形成された木製のパネルフレームの両側に、前記と同様の化粧板を貼着したフラッシュ構造のパネルを用いて形成することもよい。
【００２０】
前記棚板５は、図１、４に示すように、矩形板状をなる棚板本体５Ａと、この棚板本体５Ａの側縁部から垂直上方に折れ曲がる引出し板８とを含み構成される。前記棚板本体５Ａには、図４に示すように、その後端縁及び内端縁に額縁状に小高さで立ち上がる段部２４が形成される。この段部２４を設けることにより、棚板５が曲げ補強されるとともに履物に付着した土砂の落下止めとなる点で好ましい。
【００２１】
また前記棚板５は、図２に示すように、収納本体４の収納空間２の前後に平行に取り付けられた一対のレール２５、２５に支持される。すなわち前記レール２５、２５は各々の内面に向き合う受溝２５Ａ、２５Ａが形成され、前記棚板５は、その両側部が前記受溝２５Ａ、２５Ａ内に挿入されることにより、前記側開口部７から収納本体４の側方へ水平にスライドして出入り可能に形成されている。このように棚板５上に収容される収納物２７は、前記開き戸６を開いて前面の開口部３から出し入れすることは勿論、棚板５を側方にスライドさせることにより側開口部７からの出し入れもでき、従って使用者の立つ位置、或いは周囲の状況などに応じて適宜の方向から便利に収納作業を行える。特に、収納本体４の前面に人、物など開き戸６の開閉の障害物がある場合に、側開口部７から収納作業が問題なくできるので利便性に優れる。また図１に示すように、収納装置１が玄関に設置された下駄箱である場合、上り框２１側の側開口部７から棚板５を引き出すことにより、玄関土間２３に降りることなく玄関ホール２６の上から、開き戸６に遮られることなく簡単に履物２７Ａを選択、出し入れできる。
【００２２】
収納装置１は、図３に示すように、引出し板８を含めて同大、同形に形成された５個の棚板５が設けられる。そして図１に示すように、各棚板５の引出し板８が上下に連続して側開口部７が閉止される。このように上下の棚板５は、同大、同形であるため、上下の棚板５の位置を入れ替えすることができ、例えば季節毎に使用する収納物を区分して収容し、出し入れする頻度の多い収納物の棚板５を、使用者が取扱いし易い高さ位置に変更することにより、使い勝手を簡単に改善しうる点で好ましい。
【００２３】
本形態の引出し板８は図１に示すように、表面の色が全て別色に形成されている。このように、棚板５毎を明確に区別できるため、収納物の種類、或いは使用者を区別するなどして効率的な収納をなし得る点で好ましい。引出し板８は、色のほか、模様、又は木、プラスチック、金属など少なくともその表面の材質を異ならせることにより外観を区別することもよい。
【００２４】
本形態では、棚板５は、図３に示すように、収納空間２の巾寸法の略半分の長さを有する左、右の棚板５Ｌ、５Ｒに分割して形成され、かつ収納本体４には、両側の側部に左、右の側開口部７Ｌ、７Ｒが設けられる。そして前記左、右の棚板５Ｌ、５Ｒは、共に前記レール２５、２５に支持されることにより、各々左、右の側開口部７Ｌ、７Ｒから出入り可能に構成される。このように本形態では、半分に分割された左、右の棚板５Ｌ、５Ｒが引き出されて収納物を出し入れすることができるため、個々の棚板５の引き出し長さが短縮され、作業を効率的におこなえる。また左、右の棚板５Ｌ、５Ｒで、収納物、使用者を区分して収納することにより物の整理が簡単に行なうことができて、収納効率を向上しうる点で好ましい。
【００２５】
図５は、他の実施形態を例示している。以下異なる内容について説明し、それ以外は図中に表れた主要な構成に同じ符号を付すのみとする。本形態では、引出し板８を上下に連続させることにより、上下に並ぶ２段の棚板５、５が連結され、一体のユニットとして構成されている。また、上下の棚板５の縁部が各々レール２５の受溝２５Ａに挿入されてスライド可能に支持されることにより、ユニット全体が側開口部７から出入り可能に構成されている。このようにして上下に連結された棚板５、５は、上下のレール２５、２５に各々支持されて安定して出し入れ操作できるため、取扱い性が向上され、また重い収納物を収容して棚板５を引き出しても、傾きが抑制されて、円滑に出し入れできる点で好ましい。また上下に３段以上の棚板５を一体に連結して構成することもできる。
【００２６】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００２７】
【図１】本発明の一実施の形態を例示する斜視図である。
【図２】その縦断面図である。
【図３】その正面図である。
【図４】その要部拡大斜視図である。
【図５】他の実施形態の斜視図である。
【図６】従来例を示す斜視図である。
【図７】他の従来例を示す斜視図である。
【図８】更に他の従来例を示す斜視図である。
【符号の説明】
【００２８】
１      収納装置
２      収納空間
３      開口部
４      収納本体
５      棚板
６      開き戸
７      側開口部
８      引出し板
【図１】
2007006972.tif 000003
【図２】
2007006972.tif 000004
【図３】
2007006972.tif 000005
【図４】
2007006972.tif 000006
【図５】
2007006972.tif 000007
【図６】
2007006972.tif 000008
【図７】
2007006972.tif 000009
【図８】
2007006972.tif 000010